(57)【要約】【課題】容易に光軸方向のガタを取り除くことができる鏡筒及びカメラを提供する。【解決手段】回転可能な操作環（ＦＲ）と、第１方向に沿って操作環（ＦＲ）の両端に設けられた機械部品（１０，２０）とを備えている鏡筒において、操作環（ＦＲ）と機械部品（１０，２０）との少なくとも一方は、前記第１方向に沿って相対的に移動可能な一対の移動部材を有している。【選択図】図１
2009053493.tif 000002
【特許請求の範囲】
【請求項１】
回転可能な操作環と、
第１方向に沿って前記操作環の両端に設けられた機械部品と
を備えている鏡筒において、
前記操作環と前記機械部品との少なくとも一方は、前記第１方向に沿って相対的に移動可能な一対の移動部材を有していることを特徴とする鏡筒。
【請求項２】
前記操作環が前記移動部材を有していることを特徴とする請求項１記載の鏡筒。
【請求項３】
前記機械部品が前記移動部材を有していることを特徴とする請求項１記載の鏡筒。
【請求項４】
前記一対の移動部材はねじ結合されていることを特徴とする請求項１〜３記載の鏡筒。
【請求項５】
前記一対の移動部材の外周面に接着テープが装着されていることを特徴とする請求項１〜４記載の鏡筒。
【請求項６】
請求項１〜５のいずれか１項記載の鏡筒と、この鏡筒が装着されるカメラ本体とを備えていることを特徴とするカメラ。
【発明の詳細な説明】
【技術分野】
【０００１】
この発明は鏡筒及びカメラに関する。
【背景技術】
【０００２】
従来、光軸を中心に回転する操作部材と、操作部材に当接する第１固定筒と、第１固定筒とともに操作部材を挟む位置に配置される第２固定筒と、光軸とほぼ平行な方向において第２固定筒と螺合して、操作部材に当接する調整ネジとを具備する鏡筒が知られている（下記特許文献参照）。
【０００３】
調整ネジを回転調整することにより、操作部材の光軸方向のガタを調整することができる。
【０００４】
操作部材の光軸方向のガタを調整することができるので、使用者はスムーズに操作部材を回転させることができ、良好な操作感を得ることができる。
【特許文献１】特開２００２−５５２６７号公報
【発明の開示】
【発明が解決しようとする課題】
【０００５】
しかし、操作部材の光軸方向のガタを取り除くには、３本の調整ネジを均等に締め付ける必要があるため、調整に手間がかかるという問題がある。
【０００６】
この発明の課題は容易に光軸方向のガタを取り除くことができる鏡筒及びカメラを提供することである。
【課題を解決するための手段】
【０００７】
上記課題を解決するため請求項１記載の発明は、回転可能な操作環と、第１方向に沿って前記操作環の両端に設けられた機械部品とを備えている鏡筒において、前記操作環と前記機械部品との少なくとも一方は、前記第１方向に沿って相対的に移動可能な一対の移動部材を有していることを特徴とする。
【０００８】
請求項２に記載の発明は、請求項１記載の鏡筒において、前記操作環が前記移動部材を有していることを特徴とする。
【０００９】
請求項３に記載の発明は、請求項１記載の鏡筒において、前記機械部品が前記移動部材を有していることを特徴とする。
【００１０】
請求項４に記載の発明は、請求項１〜３記載の鏡筒において、前記一対の移動部材はねじ結合されていることを特徴とする。
【００１１】
請求項５に記載の発明は、請求項１〜４記載の鏡筒において、前記一対の移動部材の外周面に接着テープが装着されていることを特徴とする。
【００１２】
請求項６に記載の発明は、請求項１〜５のいずれか１項記載の鏡筒と、この鏡筒が装着されるカメラ本体とを備えていることを特徴とするカメラである。
【発明の効果】
【００１３】
この発明によれば、容易に光軸方向のガタを取り除くことができる。
【発明を実施するための最良の形態】
【００１４】
以下、この発明の実施の形態を図面に基づいて説明する。
【００１５】
図１はこの発明の一実施形態に係る鏡筒の断面を示す概念図である。
【００１６】
鏡筒１は操作環ＦＲと第１固定筒（機械部品）２０と第２固定筒（機械部品）１０とレンズ保持枠３０とを備えている。
【００１７】
操作環ＦＲは外部から手で光軸Ｌを中心に回転させてフォーカシングを行うための環状の操作部材である。操作環ＦＲは光軸Ｌ方向（第１方向）へ移動することなく光軸Ｌを中心に回転するように第１固定筒２０に嵌合している。第２固定筒１０はビス１１により第１固定筒２０に固定されている。操作環ＦＲは金属製でも、プラスチック製でもよい。
【００１８】
第１固定筒２０の後端部にはカメラ本体９０のマウント（図示せず）に装着するためのマウント２０ａが設けられている。第１固定筒２０には操作環ＦＲが光軸Ｌを中心として所定角度だけ回転できるようにカム溝２１が形成されている。
【００１９】
第２固定筒１０は固定レンズ１０Ｇを保持する。固定レンズ１０Ｇは押さえ環１３によって第２固定筒１０に固定されている。押さえ環１３は外周面におねじ１３ａが形成されたリング状のねじ部材である。おねじ１３ａは第２固定筒１０の内周面に形成されためねじ１０ａに螺合している。
【００２０】
操作環ＦＲは第１操作環４０と第２操作環５０とからなる。第１操作環４０と第２操作環５０とで一対の移動部材が構成される。第２操作環５０の後端部に形成されたおねじ５１と第１操作環４０の先端部に形成されためねじ４１とが螺合している。第２操作環５０のおねじ５１と第１操作環４０のめねじ４１との螺合量を変えることによって操作環ＦＲの光軸Ｌ方向の長さが調整される。第１操作環４０と第２操作環５０との螺合部分を覆うように接着テープ６１が操作環ＦＲの外周面ＦＲｂに接着されている。操作環ＦＲの外周面ＦＲｂには接着テープ６１を介してゴムリング６０が装着されている。
【００２１】
第１操作環４０には光軸Ｌ方向に沿って延び、カム溝２１とクロスする直進溝４２が形成されている。直進溝４２の幅はカム溝２１の幅と同じである。
【００２２】
レンズ保持枠３０は第１固定筒２０の内周面２２に光軸Ｌ方向へ摺動可能に設けられている。レンズ保持枠３０は合焦レンズ３０Ｇを保持する。
【００２３】
レンズ保持枠３０の外周面に形成されためねじ３０ｃにはフォーカス用の駆動ピン７０のねじ部７０ｃがねじ込まれている。駆動ピン７０の頭部７０ｂはカム溝２１を通って直進溝４２に達し、両溝４２，２１に対して摺動可能に係合している。
【００２４】
次に、鏡筒１の組立手順を説明する。
【００２５】
まず、第２操作環５０のおねじ５１と第１操作環４０のめねじ４１とを螺合させ、操作環ＦＲを組み立てる。操作環ＦＲの光軸Ｌ方向の長さを所定の長さに設定した後、第１固定筒２０の外周面２３に操作環ＦＲを装着する。
【００２６】
次に、第１固定筒２０の内周面２２にレンズ保持枠３０を装着する。
【００２７】
その後、カム溝２１と直進溝４２とを一致させ、カム溝２１と直進溝４２とに駆動ピン７０を挿入し、駆動ピン７０のねじ部７０ｃをレンズ保持枠３０のめねじ３０ｃにねじ込む。
【００２８】
次に、第２固定筒１０をビス１１で第１固定筒２０に固定する。
【００２９】
その後、固定レンズ１０Ｇを第２固定筒１０に装着し、固定レンズ１０Ｇを押さえ環１３で第２固定筒１０に固定する。
【００３０】
次に、例えば第１操作環４０を押えて第２操作環５０を回転させ、第２固定筒１０の壁面１５及び第１固定筒２０の壁面２５に、第２操作環５０の壁面５５及び第１操作環４０の壁面４５をそれぞれ当接させる。第２操作環５０の壁面５５から第１操作環４０の壁面４５までの距離を延ばし、操作環ＦＲの光軸Ｌ方向のガタをなくす。
【００３１】
その後、操作環ＦＲの外周面に接着テープ６１を巻き付けて第１操作環４０と第２操作環５０との螺合状態が緩まないようにする。なお、接着テープ６１に代えて接着剤で第１操作環４０と第２操作環５０とを固定するようにしてもよい。
【００３２】
第１操作環４０と第２操作環５０とを接着テープ６１で固定した後、ゴムリング６０を操作環ＦＲの外周面ＦＲｂに装着する。ゴムリング６０は操作環ＦＲを手で回転させる際の滑り止めの役割を果たす。
【００３３】
以上の手順を経て鏡筒１の組立が完成する。
【００３４】
次に、鏡筒１の動作について説明する。
【００３５】
まず、ゴムリング６０を手で回転させる。操作環ＦＲとゴムリング６０とは一体的に結合しているので、操作環ＦＲがゴムリング６０と一体に回転する。レンズ保持枠３０に固定された駆動ピン７０は直進溝４２とカム溝２１とに摺動可能に係合しているので、操作環ＦＲが光軸Ｌを中心に回転したとき、レンズ保持枠３０は直進溝４２によって操作環ＦＲと一体に回転しながら、合焦レンズ３０Ｇと一体にカム溝２１に沿って光軸Ｌ方向へ移動し、フォーカシングが行われる。
【００３６】
この実施形態によれば、第１操作環４０又は第２操作環５０を光軸Ｌを中心に回転させるだけで操作環ＦＲの光軸Ｌ方向の長さを変えることができるので、容易に操作環ＦＲの光軸Ｌ方向のガタを取り除くことができ、良好な操作感を得ることができる。
【００３７】
なお、上記実施形態では本発明を合焦レンズを保持する鏡筒に適用したが、ズームレンズを保持する鏡筒に適用してもよい。
【００３８】
また、上記実施形態では操作環ＦＲをねじ結合可能な第１操作環４０と第２操作環５０とで構成し、両操作環４０，５０の螺合量を変えることによって操作環ＦＲの光軸Ｌ方向のガタを取り除くようにしたが、他の実施形態として、第２固定筒１０を第１固定筒２０にビス１１で固定しないで両者１０，２０を図示しないねじで結合し、例えば第２固定筒１０を光軸Ｌを中心に回転させて第２固定筒１０と第１固定筒２０との螺合量を変えることによって操作環ＦＲの光軸Ｌ方向のガタを取り除くようにしてもよい。この場合、第２固定筒１０と第１固定筒２０とで一対の移動部材が構成され、操作環ＦＲを上記実施形態のように第１操作環４０と第２操作環５０とに分割する必要はない。
【図面の簡単な説明】
【００３９】
【図１】図１はこの発明の一実施形態に係る鏡筒の断面を示す概念図である。
【符号の説明】
【００４０】
１：鏡筒、１０：第２固定筒（機械部品）、２０：第１固定筒（機械部品）、４０，５０：環状部材、６１：接着テープ、９０：カメラ本体、ＦＲ：操作環。
【図１】
2009053493.tif 000003